(57)【要約】【課題】シャフトによる回転式電子部品のスムーズな回転操作と、シャフトの押圧による押圧式電子部品のスムーズな押圧操作と、シャフトの効果的な照明とを行うことができると同時に外径寸法の小型化を図ることができる照明機能付き押圧兼回転式電子部品を提供する。【解決手段】透光性を有するシャフト３０と、シャフト３０を上下動自在に貫通し且つシャフト３０と共に回転する回転体７０と、回転体７０の回転に応じて検出出力を変化する検出手段（摺動子９０と摺接パターン１２７）と、回転体７０の下側に配置されシャフト３０下端の押圧部３７によって押圧されて上下方向に揺動する透光性を有する作動体１９０と、作動体１９０の下側に配置され、この作動体１９０を介してシャフト３０を照光する発光素子１７５と、作動体１９０の下側に配置され、この作動体１９０に設けた押圧部１９５によって押圧される押圧スイッチ１７７と、を具備する。【選択図】図３
2015079693.tif 000002
【特許請求の範囲】
【請求項１】
透光性を有するシャフトと、
前記シャフトを上下動自在に貫通し且つシャフトと共に回転する回転体と、
前記回転体の回転に応じて検出出力を変化する検出手段と、
前記回転体の下側に配置され前記シャフト下端の押圧部によって押圧されて上下方向に揺動する透光性を有する作動体と、
前記作動体の下側に配置され、この作動体を介して前記シャフトを照光する発光素子と、
前記作動体の下側に配置され、この作動体に設けた押圧部によって押圧される押圧スイッチと、
を具備することを特徴とする照明機能付き押圧兼回転式電子部品。
【請求項２】
請求項１に記載の照明機能付き押圧兼回転式電子部品であって、
前記作動体を収納する作動体収納部を有するケースを具備し、
前記発光素子と押圧スイッチは、前記ケースの作動体収納部の底面に設置されることを特徴とする照明機能付き押圧兼回転式電子部品。
【請求項３】
請求項２に記載の照明機能付き押圧兼回転式電子部品であって、
前記作動体は軸部を具備し、
前記軸部の両端を前記ケースの作動体収納部内に設けた軸受部に揺動自在に軸支したことを特徴とする照明機能付き押圧兼回転式電子部品。
【発明の詳細な説明】
【技術分野】
【０００１】
本発明は、照明機能付き押圧兼回転式電子部品に関するものである。
【背景技術】
【０００２】
従来、シャフトを回転することで回転式電子部品の検出出力を変化し、一方前記シャフトを回転軸方向に押圧することで押圧スイッチをオンオフし、さらに前記シャフトを照明する発光素子を備えた照明機能付き押圧兼回転式電子部品がある（例えば特許文献１）。
【先行技術文献】
【特許文献】
【０００３】
【特許文献１】特開平１１−３５３９７６号公報
【発明の概要】
【発明が解決しようとする課題】
【０００４】
特許文献１にかかる照明機能付き押圧兼回転式電子部品の場合、透明なシャフト（８０）の下端面に対向する位置に発光素子（１３）を設置しているので、シャフト（８０）を効率的に照明することができる。
【０００５】
しかしながら、押釦スイッチ（１５）を押圧する導光部材（２０）は、これを上下動させるために、導光部材（２０）の円形孔（２３）に固定台（３０）の突起（３５）を挿入してガイドする必要があり、構造が複雑なばかりか、外径寸法の小型化が図れないという問題があった。
【０００６】
本発明は上述の点に鑑みてなされたものでありその目的は、シャフトによる回転式電子部品のスムーズな回転操作と、シャフトの押圧による押圧式電子部品のスムーズな押圧操作と、シャフトの効果的な照明とを行うことができると同時に、外径寸法の小型化を図ることができる照明機能付き押圧兼回転式電子部品を提供することにある。
【課題を解決するための手段】
【０００７】
本発明にかかる照明機能付き押圧兼回転式電子部品は、透光性を有するシャフトと、前記シャフトを上下動自在に貫通し且つシャフトと共に回転する回転体と、前記回転体の回転に応じて検出出力を変化する検出手段と、前記回転体の下側に配置され前記シャフト下端の押圧部によって押圧されて上下方向に揺動する透光性を有する作動体と、前記作動体の下側に配置され、この作動体を介して前記シャフトを照光する発光素子と、前記作動体の下側に配置され、この作動体に設けた押圧部によって押圧される押圧スイッチと、を具備することを特徴としている。
上下動自在に貫通するシャフトによって回転体を回転するので、シャフトによる回転式電子部品の回転操作をスムーズに行うことができる。同時にシャフト下端の押圧部によって押圧されて揺動する作動体の押圧部によって押圧スイッチが押圧されるので、シャフトの押圧による押圧式電子部品の押圧操作もスムーズに行うことができる。さらに透明な作動体の下側に発光素子を設置したので、この作動体を介して発光素子によるシャフトの照明も効果的に行うことができる。また作動体は揺動自在に設置されているので、作動体の一方の側のみを揺動自在に支持すればよく、外径寸法の小型化を図ることができる。
【０００８】
また本発明は、上記照明機能付き押圧兼回転式電子部品であって、前記作動体を収納する作動体収納部を有するケースを具備し、前記発光素子と押圧スイッチは、前記ケースの作動体収納部の底面に設置されることを特徴としている。
これによって、ケース内に作動体と発光素子と押圧スイッチとをコンパクトに収納することができる。
【０００９】
また本発明は、上記照明機能付き押圧兼回転式電子部品であって、前記作動体は軸部を具備し、前記軸部の両端を前記ケースの作動体収納部内に設けた軸受部に揺動自在に軸支したことを特徴としている。
即ちこの発明では、作動体を揺動自在に支持する構造として、可撓性のある薄板状のヒンジを用いて固定側部材に連結する構造を用いず、作動体に設けた軸部をケースの軸受部に軸支させる構造を用いたので、小型化が図れるばかりか、作動体の揺動軸がぶれることもなく、安定した操作感覚で確実に押圧スイッチをオンオフ操作できる。即ち、ヒンジを用いた場合は、ヒンジの長さ分だけ固定側部材から作動体を離さなければならず、その離間距離分だけ小型化が図れない。またヒンジは可撓性があってその曲がり方も常に一定ではないので、作動体がシャフトによって押圧されて揺動する際に、左右に傾いたりして揺動状態が一定にならず、揺動軸もぶれる。このため本発明に比べて安定した操作感覚は得られない。
【発明の効果】
【００１０】
本発明によれば、シャフトの回転による回転式電子部品のスムーズな回転操作と、シャフトの押圧による押圧式電子部品のスムーズな押圧操作と、シャフトの効果的な照明とを行うことができると同時に、外径寸法の小型化を図ることができる。
【図面の簡単な説明】
【００１１】
【図１】照明機能付き押圧兼回転式電子部品１の斜視図である。
【図２】図１のＡ−Ａ断面図である。
【図３】照明機能付き押圧兼回転式電子部品１の分解斜視図である。
【図４】シャフト３０を下側から見た斜視図である。
【図５】回転体７０を下側から見た斜視図である。
【図６】第２フレキシブル回路基板１２１と端子１３１とを示す斜視図である。
【図７】作動体１９０を下側から見た斜視図である。
【図８】第１ケース１５０を下側から見た斜視図である。
【図９】第１ケース１５０を別の角度から見た斜視図である。
【図１０】第１ケース本体１５１と第１フレキシブル回路基板１７１と端子１８１とを分解して示す斜視図である。
【発明を実施するための形態】
【００１２】
以下、本発明の実施形態を図面を参照して詳細に説明する。図１は本発明の一実施形態にかかる照明機能付き押圧兼回転式電子部品（以下単に「電子部品」という）１の斜視図、図２はその断面図（図１のＡ−Ａ断面図）、図３は分解斜視図、図４はシャフト３０を下側から見た斜視図、図５は回転体７０を下側から見た斜視図である。なお以下の説明において、「上」とは下記する押圧スイッチ１７７からシャフト３０を見る方向をいい、「下」とはその反対方向をいうものとする。
【００１３】
図２，図３に示すように電子部品１は、作動体１９０を収納したケース（以下「第１ケース」という）１５０の上に、回転式電子部品用の摺接パターン１２７を設けたケース（以下「第２ケース」という）１１０と、摺動子９０を取り付けた回転体７０と、クリックバネ５０と、シャフト３０と、カバー１０とを設置して構成されている。なお第１ケース１５０内には、発光素子１７５と押圧スイッチ１７７が設置されている。
【００１４】
カバー１０は、金属板を略矩形状に形成した上面部１１と、上面部１１の対向する一対の外周側辺から下方に折り曲げられた一対の側壁部１３，１３とを具備して構成されている。上面部１１の中央には、上方向に突出する筒状の軸支部１５が設けられている。軸支部１５の内径寸法は下記するシャフト３０の外径寸法と略同一である。上面部１１の各角部近傍（４か所）には、小孔からなる係止部１７が形成されている（図３では３つのみ示す）。一方、側壁部１３の下端辺中央からは、他の部材（例えば主回路基板）への取付用の舌片状の取付部２１が突設されている。また側壁部１３の下端辺の前記取付部２１の両側からは舌片状の係止部２３が突設されている。
【００１５】
図４はシャフト３０を下面側から見た斜視図である。シャフト３０は透明又は半透明な合成樹脂の成形品であり、同図及び図１〜図３に示すように、略円形の柱状に形成されている。シャフト３０の下部外周にはつば部３１が設けられている。シャフト３０の下端面中央からは円柱状の押圧基部３３が突出し、またシャフト３０の下端面の押圧基部３３を挟んだ左右両側（１８０°対向する位置）には略円形で凹状の穴からなる一対のガイド部挿通部３５，３５が形成されている。押圧基部３３の下面は、押圧部３７となっている。
【００１６】
クリックバネ５０は、弾性金属板を略矩形状に形成し、基部５５の中央に設けた開口５１内に略円形リング状のアーム部５３を設けて構成されている。アーム部５３と基部５５間は、アーム部５３の１８０°対向する部分の外周辺と基部５５の内周辺とを連結する一対の連結部５７によって連結されている。アーム部５３の所定位置には、下方向に突出するように屈曲する弾接部５９が形成されている。また基部５５の２つの角部近傍には、貫通孔からなる一対の挿通孔６１が形成されている。
【００１７】
図５は回転体７０を下面側から見た斜視図である。回転体７０は合成樹脂の成形品であり、同図及び図１〜図３に示すように、略円形の板状に形成されている。中央には前記シャフト３０の押圧基部３３を挿通する円形の挿通部７１が形成されている。また回転体７０の上面の挿通部７１の両側には、前記シャフト３０のガイド部挿通部３５に上下動自在にがたつきなく挿入される柱状の一対のガイド部７３が設けられている。回転体７０の上面の周囲近傍には、多数の凹凸からなるリング状のクリック弾接部７５が設けられている。回転体７０の下面は摺動子取付面７７となっており、この摺動子取付面７７には５本の小突起からなる摺動子取付部７９が形成されている。摺動子取付面７７の中央には、下方向に突出する筒状の軸部８１が設けられている。軸部８１の外径寸法は下記する第２ケース１１０の回転体軸支部１１５にがたつきなく回転自在に挿入される外径寸法となっている。
【００１８】
摺動子９０は、弾性金属板をリング状に形成して構成されており、等間隔に設けた３つの基部９１から、それぞれ摺動子９０の外周に沿うように、円弧状に摺動冊子９３を突出している。各摺動冊子９３の先端近傍には接点部９５が形成されている。一方、基部９１には前記回転体７０に設けた各摺動子取付部７９を挿入する小穴又は凹部からなる５つの取付部９７が形成されている。
【００１９】
第２ケース１１０は、合成樹脂製の第２ケース本体１１１内に、回転式電子部品用の第２回路基板（以下「第２フレキシブル回路基板」という）１２１と複数本の端子１３１とをインサート成形によって一体化して構成されている。図６は第２フレキシブル回路基板１２１と端子１３１とを示す斜視図である。同図に示すように第２フレキシブル回路基板１２１は、可撓性を有する合成樹脂フィルム１２３の中央に円形の貫通孔からなる挿通部１２５を設け、またその上面の挿通部１２５の周囲にこれを囲むように略リング状の摺接パターン（この例では３組のスイッチパターン）１２７を設けて構成されている。各摺接パターン１２７からは引出部１２９が第２フレキシブル回路基板１２１の１外周辺に引き出され、それらの上にそれぞれ端子１３１の一端が当接される。端子１３１は、細長平板状の金属板で構成されている。そして前記第２ケース本体１１１の形状と同一形状のキャビティーを有する金型内に、第２フレキシブル回路基板１２１と端子板１３１（このときの端子板１３１は折り曲げられておらず、直線状に延びている）とを、図６に示す状態でインサートし、前記キャビティー内に溶融成形樹脂を射出成形することで、第２ケース１１０を製造する。第２ケース１１０の製造後に第２ケース本体１１１の外周から突出している各端子板１３１の部分を下方向に折り曲げる。
【００２０】
第２ケース本体１１１は矩形状であって、上面中央に略円形の凹部からなる収納部１１３を設けて構成されている。収納部１１３は前記回転体７０と摺動子９０を収納する寸法に形成されており、収納部１１３の底面には前記第２フレキシブル回路基板１２１の摺接パターン１２７が露出している。収納部１１３の底面中央には、円形の貫通孔からなる回転体軸支部１１５が形成されている。回転体軸支部１１５は前記第２フレキシブル回路基板１２１の挿通部１２５と略同一の内径寸法を有し、前記回転体７０の軸部８１をがたつきなく回転自在に挿入する寸法に形成されている。また第２フレキシブル回路基板１２１と端子１３１とを接合した部分の上下は第２ケース本体１１１が挟持することで固定される。第２ケース本体１１１の外周側壁の上面の角部近傍（前記クリックバネ５０の一対の挿通孔６１に対向する２か所）には、これら挿通孔６１及びカバー１０の係止部１７を挿入する小突起状のケース係止部１１７が設けられている。
【００２１】
図８は第１ケース１５０を裏面側から見た斜視図、図９は第１ケ−ス１５０を別の角度から見た斜視図、図１０は第１ケース本体１５１と第１フレキシブル回路基板１７１と端子１８１とを分解して示す斜視図である（実際には一体成形なので分解はできない）。
【００２２】
図１０に示すように、第１フレキシブル回路基板１７１は、可撓性を有する合成樹脂フィルム１７３を略矩形状に形成し、その略中央に発光素子１７５を設置し、また発光素子１７５の側部に押圧スイッチ１７７を設置して構成されている。押圧スイッチ１７７は、合成樹脂フィルム１７３上に形成した図示しない一対の接点パターン上に反転板（この例では可動接点板）１７７ａを取り付けて構成されている。押圧スイッチ１７７を構成する各接点パターンと、前記発光素子１７５に接続される図示しない接続パターンは、何れも端子１８１を接続する一辺に設けた図示しない端子接続パターンに接続されている。端子１８１は、細長平板状の金属板で構成され、途中の部分が略直角に折れ曲がることで、先端側が下方向を向いている。
【００２３】
そして図１０に示すように、第１フレキシブル回路基板１７１の外周の一辺の、前記接点パターンや接続パターンと接続された図示しない複数の端子接続パターン上に各端子１８１（このときの端子１８１は折り曲げられておらず、直線状に延びている）の先端を当接したものを、前記第一ケース本体１５１の形状と同一形状のキャビティーを有する金型内にインサートし、前記キャビティー内に溶融成形樹脂を射出成型することで、第１ケース１５０を製造する。第１ケース１５０の製造後に第１ケース本体１５１の外周から突出している各端子１８１の部分を折り曲げる。
【００２４】
第１ケース本体１５１は略矩形状であり、上面中央に略矩形状の凹部からなる作動体収納部１５３を設けて構成されている。作動体収納部１５３は下記する作動体１９０を収納する寸法に形成されており、底面には前記第１フレキシブル回路基板１７１が露出する。また第１フレキシブル回路基板１７１と端子１８１とを接合した部分はその上下が第１ケース本体１５１によって挟持されることで固定されている。第１ケース本体１５１の外周側壁１５５の内周面の所定位置と、外周側壁１５５の内周面から内側に突出する突起部１５６の一方の面には、それぞれ凹部からなる軸受部１５７が形成されている。両軸受部１５７は対向して設けられ、何れも上端辺が切欠かれることで、下記する作動体１９０の軸部１９１を上側からスムーズに挿入できるようにしている。両軸受部１５７の中心間を結ぶ線は、真上から見て、発光素子１７５の中心と押圧スイッチ１７７の中心を結ぶ線と平行になっている。また外周側壁１５５の対向する一対の角部の上面には、小突起からなる係止部１５９が設けられている。これら係止部１５９は、前記第２ケース本体１１１の下面の各係止部１５９に対向する位置に設けた図示しない一対の係止孔に挿入できる寸法に形成されている。
【００２５】
図７は作動体１９０を下面側から見た斜視図である。同図及び図２、図３に示すように、作動体１９０は透明または半透明な合成樹脂の一体成形品であり、前記第１ケース本体１５１の作動体収納部１５３に挿入される外形寸法の略平板矩形状に形成されている。作動体１９０の外周の一辺には、この一辺に沿うように円柱状の軸部１９１が設けられている。軸部１９１はその両端が、前記第１ケース本体１５１の軸受部１５７に回動自在にがたつきなく挿入される外径寸法に形成されている。作動体１９０の下面には、前記軸部１９１の軸方向に沿うように、発光素子当接防止兼光導入用凹部１９３と押圧部１９５とが併設されている。発光素子当接防止兼光導入用凹部１９３は円形の凹部であり、押圧部１９５は小突起である。発光素子当接防止兼光導入用凹部１９３と押圧部１９５は、この作動体１９０を作動体収納部１５３内に収納した際に、それぞれ発光素子１７５と押圧スイッチ１７７が対向する位置に位置するように形成されている。一方、作動体１９０の上面には、前記シャフト３０の押圧部３７を挿入してその底面に当接させる円形で凹状の押圧部挿入当接部１９７が設けられている。
【００２６】
次に電子部品１の組立方法を説明する。まず回転体７０の摺動子取付面７７に摺動子９０を設置し、その際回転体７０の各摺動子取付部７９を摺動子９０の各取付部９７に挿入し、各摺動子取付部７９の先端を熱カシメすることで回転体７０に摺動子９０を固定しておく。一方、第１ケース１５０の作動体収納部１５３内に、作動体１９０を収納し、その際、作動体１９０の軸部１９１の両端を、第１ケース１５０の一対の軸受部１５７内に回動自在に収納しておく。このとき作動体１９０の押圧部１９５は押圧スイッチ１７７の反転板１７７ａ中央に当接する。
【００２７】
そしてカバー１０の下面側からその軸支部１５内にシャフト３０を挿入する。次にカバー１０の上面部１１の下面にクリックバネ５０を配置する。次にクリックバネ５０の下側に摺動子９０を取り付けた回転体７０を配置し、その際、シャフト３０の押圧基部３３を回転体７０の挿通部７１に挿通し、同時に回転体７０の一対のガイド部７３をシャフト３０の一対のガイド部挿通部３５に挿入する。このときクリックバネ５０の弾接部５９が回転体７０のクリック弾接部７５に弾接する。
【００２８】
次に回転体７０等の下側に第２ケース１１０を配置して摺動子９０と回転体７０を第２ケース１１０の収納部１１３内に収納する。このとき回転体７０の軸部８１が第２ケース１１０の回転体軸支部１１５（及び挿通部１２５）内に挿入されて軸支され、同時に摺動子９０の接点部９５が第２フレキシブル回路基板１２１の摺接パターン１２７上に弾接する。またカバー１０の両側壁部１３，１３の間に第２ケース１１０が位置する。さらにこのとき、第２ケース１１０の一対のケース係止部１１７は、クリックバネ５０の一対の挿通孔６１とカバー１０の一対の係止部１７に挿入され、これら各部材の一体化と位置決めが行われる。
【００２９】
次に第２ケース１１０の下側に前記作動体１９０を収納した第１ケース１５０を配置し、次に第１ケース１５０の両外側に位置するカバー１０の各係止部２３の先端部分を第１ケース１５０の底面側に折り曲げて、第２ケース１１０と第１ケース１５０をカバー１０と一体化する。これによって電子部品１が完成する。このとき図２に示すように、シャフト３０の押圧部３７は作動体１９０上面の押圧部挿入当接部１９７の面に当接する。また発光素子１７５は作動体１９０の発光素子当接防止兼光導入用凹部１９３の中央に対向する位置に配置され、略シャフト３０の真下近傍に位置している。なお上記組立手順はその一例であり、他の各種異なる組立手順を用いて組み立てても良いことはいうまでもない。
【００３０】
そしてシャフト３０を回転すれば、これと一体に回転体７０及び摺動子９０が回転し、摺動子９０の接点部９５が摺接パターン１２７上を摺動することで各端子１３１間のオンオフ出力が変化する。
【００３１】
一方シャフト３０をその回転軸方向（下方向）に押圧すれば、回転体７０に対してシャフト３０のみが下降し、その押圧部３７が作動体１９０を押圧し、作動体１９０はその軸部１９１を中心に揺動して下降し、押圧部１９５が押圧スイッチ１７７の反転板１７７ａを押圧してこれを反転し、押圧スイッチ１７７をオンする。前記シャフト３０への押圧を解除すれば、反転板１７７ａの弾性復帰力によって、反転板１７７ａは元の形状に自動復帰し、同時に押圧スイッチ１７７はオフし、作動体１９０とシャフト３０は元の上昇位置に戻る。作動体１９０が揺動して下降した際、発光素子１７５の上部には発光素子当接防止兼光導入用凹部１９３があるので、作動体１９０に発光素子１７５が当接することを確実に防止できる。このことは特に図示した発光素子１７５よりも寸法の大きい発光素子を用いた場合に効果的である。
【００３２】
発光素子１７５を発光すると、その光は主として真上及びその周囲に放射され、その多くは透明な作動体１９０内に入射し、さらに透明なシャフト３０内に導入され、シャフト３０の上部を明るく照らし出す。
【００３３】
電子部品１においては、上述のように、回転体７０を上下動自在に貫通するシャフト３０によってこの回転体７０を回転するので、シャフト３０による回転式電子部品の回転操作をスムーズに行うことができる。同時にシャフト３０の下端の押圧部３７によって押圧されて揺動する作動体１９０の押圧部１９５によって押圧スイッチ１７７が押圧されるので、シャフト３０の押圧による押圧式電子部品の押圧操作もスムーズに行うことができる。
【００３４】
また透明な作動体１９０の下側に発光素子１７５を設置したので（特に発光素子１７５の略真上にシャフト３０の押圧部３７が位置するので）、この作動体１９０を介して発光素子１７５によるシャフト３０の照明を効果的に行うことができる。特にこの電子部品１の場合、作動体１９０の下面の発光素子１７５に対向する位置に、作動体１９０が下降した際に挿入される（挿入されなくても良い）発光素子当接防止兼光導入用凹部１９３が設けられているが、発光素子１７５には指向性があってその光の多くは真上又は真上に近い方向に放射されるため、そのほとんどは発光素子当接防止兼光導入用凹部１９３内に入射する。さらに、発光素子当接防止兼光導入用凹部１９３の内周側面１９３ａは上方向に向かって内径を小さくしていく錐状のテーパ面となっているが、発光素子１７５から放射された光の内で発光素子当接防止兼光導入用凹部１９３内に導入された光は、その内周側面（テーパ面）１９３ａを含めたその全体について、表面反射しないで、その多くが作動体１９０内に入射する。さらに作動体１９０の厚みは、発光素子当接防止兼光導入用凹部１９３（さらには凹状の押圧部挿入当接部１９７）によって薄くなっているので、作動体１９０内を通過する光の減衰量も少なくできる。これらのことから発光素子１７５から放射された光を無駄なくシャフト３０に導入でき、シャフト３０を効果的に照明できる。
【００３５】
また電子部品１は、作動体１９０を収納する作動体収納部１５３を有する第１ケース１５０を具備し、発光素子１７５と押圧スイッチ１７７を、第１ケース１５０の作動体収納部１５３の底面に設置したので、第１ケース１５０内に作動体１９０と発光素子１７５と押圧スイッチ１７７とをコンパクトに収納することができる。
【００３６】
また作動体１９０は揺動自在に設置されているので、作動体１９０の一方の側のみを揺動自在に軸支すればよく、外径寸法の小型化を図ることができる。さらにこの電子部品１の場合、作動体１９０の揺動軸Ｌ１に平行に並ぶように発光素子１７５と押圧スイッチ１７７とを設置するので、発光素子１７５と押圧スイッチ１７７の両者の揺動軸Ｌ１からの離間距離を短くでき、その分第１ケース１５０の外形寸法（特に揺動軸Ｌ１から垂直方向に離れる方向の外形寸法）を小さくできる。即ち、同一面上に設置される発光素子１７５と押圧スイッチ１７７とを、小さなスペースに効率的に配置することができる。
【００３７】
また、この電子部品１の場合、第１ケース本体１５１の一対の軸受部１５７を、端子１８１を取り付けた辺に隣接する辺（直交する辺）に沿うように設けている。これは、もし端子１８１を取り付けた辺上に一対の軸受部１５７を設けた場合、例えば突起部１５６は第１フレキシブル回路基板１７１の発光素子１７５及び押圧スイッチ１７７と各端子１８１とを接続する図示しない接続パターンの上部に位置しないように（干渉しないように）設ける必要が生じ（接続パターンの上部に突起部１５６が位置すると接続パターンを傷める恐れがある）、その設置が困難であり、また第１ケース１５０の小型化を阻害する恐れもあるからである。そこで、前記接続パターンとは干渉しないように、端子１８１を取り付けた辺に隣接する辺（直交する辺）に沿うように一対の軸受部１５７を設けたのである。なお、第１ケース１５０はその構造上、発光素子１７５と押圧スイッチ１７７を並べた方向の長さ寸法が長くなる場合が多い。このため前記一対の軸受部１５７間の間隔は、もしこれら軸受部１５７を端子１８１を接続した辺の上に設ける場合に比べて長くできる。このためこれら軸受部１５７に軸支する作動体１９０の軸部１９１の長さを長くでき、動作時のがたつきをより効果的に防止できる。またもし端子１８１を取り付けた辺上に一対の軸受部１５７を設けてこれらに作動体１９０の軸部１９１を軸支させた場合、発光素子１７５が作動体１９０の軸部１９１に近づいてしまい、光をシャフト３０に導入するのに影響が出る恐れもある。
【００３８】
またこの電子部品１においては、シャフト３０の押圧部３７が作動体１９０を押圧する位置と、作動体１９０の押圧部１９５が押圧スイッチ１７７を押圧する位置とを、真上から見て作動体１９０の揺動軸Ｌ１（図３参照）に平行な同一直線上に位置するように構成しているので、シャフト３０による押圧スイッチ１７７の操作感触を良好にできる。即ち、この電子部品１においては、真上から見て、揺動軸Ｌ１から押圧部３７までの距離と、揺動軸Ｌ１から押圧部１９５までの距離が略同一であるため、シャフト３０を押圧したときにシャフト３０が下降する距離と、その押圧の際に作動体１９０の押圧部１９５が下降する距離とが略同一になる。このためシャフト３０の押圧部３７によって直接押圧スイッチ１７７をオンするときの感触と同様の感触が得られ、その操作感触を良好にできる。
【００３９】
またこの電子部品１では、作動体１９０を揺動自在に支持する構造として、可撓性のある薄板状のヒンジを用いて固定側部材に連結する構造を用いず、作動体１９０に設けた軸部１９１を第１ケース１５０の軸受部１５７に軸支させる構造を用いたので、上述のように小型化が図れるばかりか、作動体１９０の揺動軸Ｌ１がぶれることもなく、安定した操作感覚で確実に押圧スイッチ１７７をオンオフ操作できる。即ち、ヒンジを用いた場合は、ヒンジの長さ分だけ固定側部材から作動体を離さなければならず、その離間距離分だけ小型化が図れない。またヒンジは可撓性があってその曲がり方も常に一定ではないので、作動体がシャフトによって押圧されて揺動する際に、左右に傾いたりして揺動状態が一定にならず、揺動軸もぶれる。このため本発明に比べて安定した操作感覚は得られない。
【００４０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記電子部品１では検出手段として摺動子９０と摺接パターン１２７を用いたが、回転体７０の回転に応じて検出出力（電気的、磁気的、光学的検出出力、）を変化する検出手段であれば、他の各種構成であっても良い。
【００４１】
また上記電子部品１では、押圧スイッチ１７７を、１枚の回路基板上に形成した一対の接点パターン上に反転板１７７ａを取り付けることで構成したが、その代りに、２枚の合成樹脂フィルムを重ね合わせて両合成樹脂フィルムに設けた一対の接点パターンを隙間を介して対向させ、一方の合成樹脂フィルムに設けた接点パターンの裏面側に反転板を設置すること（但し反転板は必ずしも設置しなくても良い）で構成されるいわゆるメンブレンスイッチで押圧スイッチを構成しても良い。
【符号の説明】
【００４２】
１  電子部品（照明機能付き押圧兼回転式電子部品）
１０  カバー
３０  シャフト
３７  押圧部
５０  クリックバネ
７０  回転体
９０  摺動子（検出手段）
１１０  第２ケース（ケース）
１２７  摺接パターン（検出手段）
１５０  第１ケース（ケース）
１５３  作動体収納部
１５７  軸受部
１７５  発光素子
１７７  押圧スイッチ
１９０  作動体
１９１  軸部
１９５  押圧部
【図１】
2015079693.tif 000003
【図２】
2015079693.tif 000004
【図３】
2015079693.tif 000005
【図４】
2015079693.tif 000006
【図５】
2015079693.tif 000007
【図６】
2015079693.tif 000008
【図７】
2015079693.tif 000009
【図８】
2015079693.tif 000010
【図９】
2015079693.tif 000011
【図１０】
2015079693.tif 000012